(57)【要約】【課題】十分に立体感を強調できる文字板及びこれを用いたメータ装置を提供する。【解決手段】文字板１上には、指針２にて所定値が指示される表示意匠１１が形成され、傾斜部１２は、中央凸部１３の周囲を最低部位として、この最低部位から表示意匠１１に向かって徐々に開口していくように傾斜して形成されている。文字板１の中央部位には、軸孔１３ａが穿設された中空の中央凸部１３が形成され、更に、この中央凸部１３にはＬＣＤ７の表示面に対応した矩形形状のＬＣＤ窓１４が連設されている。また、中央凸部１３の側面には、この中央凸部１３の内部からくる光を傾斜部１２に向けて漏光として出射する帯状の漏光部１３ｂが形成されている。【選択図】図１
2006078183.tif 000002
【特許請求の範囲】
【請求項１】
指針の軸孔が配置される中央部位を周回するように形成された、前記指針に指示される表示意匠を有する文字板において、
前記中央部位の周囲を最低部位として、この最低部位から前記表示意匠に向かって徐々に開口していくように傾斜して形成された傾斜部、
を有することを特徴とする文字板。
【請求項２】
請求項１記載の文字板において、
前記傾斜部は、
前記表示意匠の手前を傾斜の頂点とする、
ことを特徴とする文字板。
【請求項３】
請求項１又は請求項２記載の文字板において、
前記中央部位に形成され、前記軸孔が穿設された中空の中央凸部と、
前記中央凸部の側面に帯状に形成され、この中央凸部の内部からくる光を前記傾斜部に向けて漏光として出射する漏光部と、
を有することを特徴とする文字板。
【請求項４】
請求項３記載の文字板において、
前記中央凸部に連設され、ディジタル情報を表示する液晶表示装置の表示面に対応した矩形窓、
を有することを特徴とする文字板。
【請求項５】
請求項３又は請求項４記載の文字板を用いたメータ装置であって、
前記指針の指針軸を周回するように前記中央凸部の内部に納められ、基板上に配置された光源からの光を前記漏光部まで導光するリング状の導光部材、
を有することを特徴とするメータ装置。
【請求項６】
請求項５記載のメータ装置において、
前記指針の指針導光部の側面に印刷された銀色系ホットスタンプ、
を有することを特徴とするメータ装置。
【請求項７】
請求項５記載のメータ装置において、
前記指針の指針導光部の先細り形状の先端部位を避けるようにして、前記指針導光部の側面及び底面にそれぞれ印刷された銀色系ホットスタンプ及び光輝色ホットスタンプ、
を有することを特徴とするメータ装置。
【発明の詳細な説明】
【技術分野】
【０００１】
本発明は、文字板及びこれを用いたメータ装置に関し、特に、立体感を強調できる、文字板及びこれを用いたメータ装置に関する。
【背景技術】
【０００２】
平板状の文字板を立体的に成形した立体文字板を用いたメータ装置が、下記特許文献１に示されている。図７は、この従来の立体文字板及びこれを用いたメータ装置を示す分解斜視図である。
【０００３】
図７に示すように、文字板９０１は、上からみると各メータ部に対応して横長形状をしている。この文字板９０１上には、タコメータ、スピードメータ、水温メータ、燃料メータ等の数字や目盛りに対応した表示意匠９１２ａ、９１２ｂが形成されている。文字板９０１は、上記表示意匠９１２ａ、９１２ｂを周回するように形成されたリング意匠９１１ａ、９１１ｂを有する。リング意匠９１１ａ、９１１ｂは、同じく、上記表示意匠９１２ａ、９１２ｂを周回し、かつ土手状に隆起したリング状隆起部９１４ａ、９１４ｂの頂上面に形成されている。また、文字板９０１には、指針軸孔９１５ａ、９１５ｂ、ＬＣＤ表示窓９１３も穿設されている。
【０００４】
文字板９０１の背面には、文字板用光源からの光を導光して各文字板を背面から照明する板状の導光部材９０４が重積又は重着される。導光部材９０４は、文字板９０１に対応した形状をしており、上記指針軸孔９１５ａ、９１５ｂ、ＬＣＤ表示窓９１３に対応した指針軸孔９４５ａ、９４５ｂ、ＬＣＤ表示窓９４３が穿設されている。
【０００５】
この背面側には、各メータ部の指針９０２をここでは図示しない制御機構に指令されて所定角度回動させるモータが配置されている。更に、文字板９０１の背面には、上記文字板９０１及び指針９０２を照明するための光源も配備されている。指針９０２は、各メータ部にそれぞれ対応したモータによって、それぞれの計測値に基づいた所定角度だけ回転駆動されて文字板９０１上の所定の表示意匠を指示する。
【０００６】
本体ケース９０３は、モータ、光源、各種電子部品を搭載する電子基板を両面から挟み込むようにして収容する、表カバー及び裏カバーにより構成される。また、本体ケース９０３は、上記導光部材９０４を収容する導光部材収容部９３２、ＬＣＤを収容するＬＣＤ収容部９３３等を有する。
【０００７】
このような構成において、文字板９０１上の表示意匠９１２ａ、９１２ｂや指針９０２は、それらの専用光源から供給される光により背面から照明される。これと同時に、文字板９０１上に形成されたリング意匠９１１ａ、９１１ｂも光輝する。これらは、スモークガラス（不図示）を通して、メータ前面から視認される。
【０００８】
なお、上記従来の文字板及びこれを用いたメータ装置は下記の特許文献に詳細に記載されている。
【特許文献１】特開２００３−３１５１１０号公報
【発明の開示】
【発明が解決しようとする課題】
【０００９】
上記従来例によると、専用のリング部材を用いることなく、リング意匠９１１ａ、９１１ｂに立体感を出すことはできるが、文字板９０１の立体感は出すことはできない。すなわち、従来例によると、リング状隆起部９１４ａ、９１４ｂ以外の部位は、旧来の文字板と同様、完全に平板状である。したがって、上記従来例によると、文字板の立体感を強調することは困難である。
【００１０】
よって本発明は、上述した現状に鑑み、十分に立体感を強調できる文字板及びこれを用いたメータ装置を提供することを課題としている。
【課題を解決するための手段】
【００１１】
上記課題を解決するためになされた請求項１記載の文字板は、指針の軸孔が配置される中央部位を周回するように形成された、前記指針に指示される表示意匠を有する文字板において、前記中央部位の周囲を最低部位として、この最低部位から前記表示意匠に向かって徐々に開口していくように傾斜して形成された傾斜部、を有することを特徴とする。
【００１２】
請求項１記載の発明によれば、文字板は、指針の軸孔が配置される中央部位の周囲を最低部位として、この最低部位から表示意匠に向かって徐々に開口していくように傾斜して形成された傾斜部を有する。この傾斜部により、従来、平面的であった文字板の中央部位から表示意匠までの領域に立体感をもたらすことができる。
【００１３】
上記課題を解決するためになされた請求項２記載の文字板は、請求項１記載の文字板において、前記傾斜部は、前記表示意匠の手前を傾斜の頂点とする、ことを特徴とする。
【００１４】
請求項２記載の発明によれば、傾斜部は表示意匠の手前を傾斜の頂点とする。すなわち、文字板は、表示意匠の手前を傾斜の頂点として、断面へ字状になっている。
【００１５】
上記課題を解決するためになされた請求項３記載の文字板は、請求項１又は請求項２記載の文字板において、前記中央部位に形成され、前記軸孔が穿設された中空の中央凸部と、前記中央凸部の側面に帯状に形成され、この中央凸部の内部からくる光を前記傾斜部に向けて漏光として出射する漏光部と、を有することを特徴とする。
【００１６】
請求項３記載の発明によれば、文字板の中央部位には中央凸部が形成されており、中央凸部の側面には、中央凸部の内部からくる光を傾斜部に向けて漏光として出射する漏光部が設けられている。
【００１７】
上記課題を解決するためになされた請求項４記載の文字板は、請求項３記載の文字板において、前記中央凸部に連設され、ディジタル情報を表示する液晶表示装置の表示面に対応した矩形窓、を有することを特徴とする。
【００１８】
請求項４記載の発明によれば、中央凸部に連設された液晶表示装置用の矩形窓によって、液晶表示も含めて、文字板の立体感を強調できる。
【００１９】
上記課題を解決するためになされた請求項５記載のメータ装置は、請求項３又は請求項４記載の文字板を用いたメータ装置であって、前記指針の指針軸を周回するように前記中央凸部の内部に納められ、基板上に配置された光源からの光を前記漏光部まで導光するリング状の導光部材、を有することを特徴とする。
【００２０】
請求項５記載の発明によれば、文字板の中央凸部の内部に納められ、基板上に配置された光源からの光を漏光部まで導光するリング状の導光部材によって、効率的に文字板の傾斜面を照明できる。
【００２１】
上記課題を解決するためになされた請求項６記載のメータ装置は、請求項５記載のメータ装置において、前記指針の指針導光部の側面に印刷された銀色系ホットスタンプ、を有することを特徴とする。
【００２２】
請求項６記載の発明によれば、指針の指針導光部の側面に銀色系ホットスタンプが印刷されている。この側面の銀色系ホットスタンプによって、文字板上に発生するハレーションを抑制できる。
【００２３】
上記課題を解決するためになされた請求項７記載のメータ装置は、請求項５記載のメータ装置において、前記指針の指針導光部の先細り形状の先端部位を避けるようにして、前記指針導光部の側面及び底面にそれぞれ印刷された銀色系ホットスタンプ及び光輝色ホットスタンプ、を有することを特徴とする。
【００２４】
請求項７記載の発明によれば、指針の指針導光部の先細り形状の先端部位を避けるようにして、指針導光部の側面及び底面にそれぞれ銀色系ホットスタンプ及び光輝色ホットスタンプが印刷されている。これらホットスタンプによって、文字板上に発生するハレーションを抑制できると共に指針太さを均一に視認させることができる。
【発明の効果】
【００２５】
請求項１記載の発明によれば、文字板は、指針の軸孔が配置される中央部位の周囲を最低部位として、この最低部位から表示意匠に向かって徐々に開口していくように傾斜して形成された傾斜部を有する。この傾斜部により、従来、平面的であった文字板の中央部位から表示意匠までの領域に立体感をもたらすことができる。したがって、文字板の立体感を強調できる。
【００２６】
請求項２記載の発明によれば、傾斜部は表示意匠の手前を傾斜の頂点とする。すなわち、文字板は、表示意匠の手前を傾斜の頂点として、断面へ字状になっている。したがって、文字板の立体感がより強調される。
【００２７】
請求項３記載の発明によれば、文字板の中央部位には中央凸部が形成されており、中央凸部の側面には、中央凸部の内部からくる光を傾斜部に向けて漏光として出射する漏光部が設けられている。したがって、光による相乗効果により、更に文字板の立体感を強調できる。
【００２８】
請求項４記載の発明によれば、中央凸部に連設された液晶表示装置用の矩形窓によって、液晶表示も含めて、文字板の立体感を強調できる。
【００２９】
請求項５記載の発明によれば、文字板の中央凸部の内部に納められ、基板上に配置された光源からの光を漏光部まで導光するリング状の導光部材によって、効率的に文字板の傾斜面を照明できる。したがって、立体感が強調された文字板を有するメータ装置を得ることができる。
【００３０】
請求項６記載の発明によれば、指針の指針導光部の側面に銀色系ホットスタンプが印刷されている。この側面の銀色系ホットスタンプによって、文字板上に発生するハレーションを抑制できる。したがって、ハレーションが抑制されたぶん立体感が明確になるので、より立体感が強調された文字板を有するメータ装置を得ることができる。
【００３１】
請求項７記載の発明によれば、指針の指針導光部の先細り形状の先端部位を避けるようにして、指針導光部の側面及び底面にそれぞれ銀色系ホットスタンプ及び光輝色ホットスタンプが印刷されている。これらホットスタンプによって、文字板上に発生するハレーションを抑制できると共に指針太さを均一に視認させることができる。したがって、より立体感が強調された文字板を有するメータ装置を得ることができる。
【発明を実施するための最良の形態】
【００３２】
以下、本発明の実施の形態を図面に基づいて説明する。まず、図１を用いて、本発明の実施形態に係る文字板及びこれを用いたメータ装置の概略構成を説明する。図１は、本発明の一実施形態に係る文字板及びこれを用いたメータ装置の一部を示す分解斜視図である。
【００３３】
本発明は、例えば、車載されるメータ装置に適用され、特に、スピードメータ部に適用された例を示す。図１において、文字板１は、例えば、ポリカーボネイト製であり、スピードを示す数字やメモリ等の表示意匠１１が、指針２の軸孔１３ａが配置される中央部位を周回するように形成されている。文字板１の背面には、文字板１と同形状をした拡散板５が重積されて、本体ケース６に組み付けられる。文字板１を本体ケース６に固定するときには、リング状の文字板押え４が、文字板１の軸孔１３ａを介して、本体ケース６のリング受部６３ａに嵌合される。
【００３４】
文字板１上の表示意匠１１は、ここでは図示しないムーブメントに回動される指針２にて所定値が指示される。文字板１の中央部位には、上記軸孔１３ａが穿設された中空の中央凸部１３が形成され、更に、この中央凸部１３にはＬＣＤ（液晶表示装置）７の表示面に対応した矩形形状のＬＣＤ窓１４（請求項の矩形窓に対応）が連設されている。
【００３５】
また、中央凸部１３の側面には、この中央凸部１３の内部からくる光を傾斜部１２に向けて漏光として出射する、中央凸部１３の上面に略平行な、帯状の漏光部１３ｂが形成されている。傾斜部１２は、中央凸部１３の周囲を最低部位として、この最低部位から表示意匠１１に向かって徐々に開口していくように傾斜して形成されている。なお、傾斜部１２の形状は、後述の図２及び図３を用いた説明でより明確になる。
【００３６】
拡散板５は、例えば、樹脂製であり、文字板１と同等形状をしている。拡散板５は、複数の光源９１からの光をうけて、輝度を均一化して、文字板１上の表示意匠１１等を照明する。拡散板５における、上記ＬＣＤ窓１４に対応する位置には、同形状の矩形窓５４が形成されている。
【００３７】
本体ケース６には、文字板１及び拡散板５と同形状の開口面を有する収容部６１が設けられている。収容部６１の底面には、基板９上に配置された複数の光源９１をそれぞれ露呈させるための複数の孔６２が穿設されている。収容部６１の中央部位には、指針軸を周回し、上記中央凸部１３内に納めらる筒状部６３が設けられており、その内部には、文字板押え４が嵌合されるリング受部６３ａが形成されている。筒状部６３には、基板９上に配置された光源からの光を漏光部１３ｂまで導光するリング状の導光部材８が取り付けられる。更に筒状部６３の下部には、ＬＣＤ７を保持する、ＬＣＤ７と同等形状のＬＣＤ保持部６４が形成されている。ＬＣＤ７は、累積走行距離等をディジタル表示する。
【００３８】
なお、メータ装置には、上記構成部材の他に、見返し、裏カバー、各種電子部品、表ガラス等も含まれるが、本発明を説明するためには必要ないので、ここでは省略している。また、ここでは、スピードメータ部への適用を例示しているが、タコメータ部や燃料系部への適用も同様にして可能である。
【００３９】
更に、図２及び図３を用いて、本発明の実施形態に係る文字板及びこれを用いたメータ装置の補足説明及びその作用を説明する。図２は、本発明の一実施形態に係る文字板及びこれを用いたメータ装置の一部を示す正面図である。図３は、図２のＸＸ線断面図である。なお、図２及び図３において、図１と共通する部分には、同一の符号を付し、重複する説明は省略する。
【００４０】
図２に示すように、このメータ装置において、文字板１の前面には、見返し３が取り付けられる。見返し３は、文字板１の中央部位、すなわち、文字板１の中央凸部１３及びＬＣＤ窓１４付近を隠蔽する中央隠蔽部３１を有している。但し、中央隠蔽部３１におけるＬＣＤ窓１４に対応する部位には、ＬＣＤ７の表示面に対応した矩形の表示窓３２が設けられている。
【００４１】
図３に示すように、本体ケース６の背面には基板９が取り付けられており、更に、基板９の背面は裏カバー１０で覆われている。基板９には、指針２を回動させるためのムーブメント９２、指針２用の複数の光源９１ａ、文字板１用の複数の光源９１ｂや、図示しない制御部を構成するＩＣ等の電子部品が実装されている。基板９の裏面に実装されたムーブメント９２の回転軸９２ａは、基板９を貫通して、指針２の指針軸部２３に挿通される。
【００４２】
指針２は、周知のように、指針導光部２１、指針キャップ２２、指針袴ともよばれる指針軸部２３等から構成される。指針２は、その基端部に形成された受光部（不図示）にて光源９１ａからの光Ｒ３を受けて、この光を指針導光部２１内部を先端方向に進行させる。この際、指針導光部２１の底面に印刷されたホットスタンプの色に応じて、指針導光部２１が光輝する。
【００４３】
光源９１ａからの光Ｒ３は、筒状部６３に覆われて、無駄なく指針２に供給される。この筒状部６３の側面には、リング状の導光部材８が取り付けられている。光源９１ｂからの光Ｒ１は、導光部材８の下面にて受光された後、導光部材８の内部を導光されて、中央凸部１３に形成された漏光部１３ｂに出射される。この出射光は、漏光部１３ｂを通過して漏光Ｒ２となり、文字板１に形成された傾斜部１２に向かう。傾斜部１２は、表示意匠１１に向かって徐々に開口していくように傾斜しているので、漏光Ｒ２が当たることによって相乗的に立体感が強調される。
【００４４】
補足すると、傾斜部１２自体が表示意匠１１に向かって徐々に開口していくように傾斜して立体的であるので、たとえ、漏光Ｒ２がなくても従来の文字板よりも立体感を強調できるが、傾斜部１２に漏光Ｒ２を照射することにより、相乗的に文字板の立体感を強調することができる。
【００４５】
更に、図３に示すように、傾斜部１２は表示意匠１１の手前を傾斜の頂点としている。すなわち、表示意匠１１の手前を傾斜の頂点として、文字板１は断面へ字状になっている。したがって、文字板１の立体感がより強調される。また、更に、中央凸部１３に連設されたＬＣＤ７用の矩形窓１４によって、ＬＣＤ７によるディジタル表示も含めて、文字板１の立体感を強調できる。
【００４６】
上述のような構成によって文字板の立体感が強調されるが、更なる改善によって立体感をより強調することが可能となる。図４、並びに、図５（Ａ）及び図５（Ｂ）は共に、本発明の他の実施形態を理解するための図である。なお、図４は図２に対応する正面図であり、図５（Ａ）は図３に対応する断面図、図５（Ｂ）は、図５（Ａ）のＹＹ線断面図である。また、図６（Ａ）〜図６（Ｃ）は、本発明の他の実施形態に係り、特に、図６（Ａ）は、図２のＸＸ線断面図に対応する断面図であり、図６（Ｂ）は、図６（Ａ）のＹＹ線断面図であり、図６（Ｃ）は、図６（Ａ）のＣ矢示図である。各図において、既に説明済みの図と共通する部分には、同一の符号を付し、重複する説明は省略する。
【００４７】
図５（Ａ）に示すように、指針用の光源９１ａからの光Ｒ３は、指針２の基端部に形成された受光部（不図示）にて受光されて、指針導光部２１内部を先端方向に進行する。この際、指針導光部２１の底面に印刷された赤色ホットスタンプ２１ａ（請求項の光輝色ホットスタンプに対応）に応じて、赤色系の色調で指針導光部２１が光輝する。
【００４８】
これだけなら問題ないが、実際には、図５（Ａ）及び図５（Ｂ）に示すように、スタンプ印刷が施されていない指針導光部２１の側面から指針外部に漏れた光Ｒ４が、文字板１の傾斜部１２に照射される。更に、図５（Ａ）に示すように、指針導光部２１の最先端面からその先に漏れた光Ｒ５が、リング部材１９に照射される。この結果、図４に示すように、これら照射部位にハレーションＨ４、Ｈ５が発生することになる。そうすると、ハレーションＨ４、Ｈ５が発生した部位がぼやけた感じになり、立体感も不明確になることがある。
【００４９】
そこで、図６（Ｂ）に示すように、指針２′の指針導光部２１′の両側面に銀色系ホットスタンプ２１ｂを印刷する。この銀色系ホットスタンプ２１ｂによって、側面から指針外部に漏れていた光Ｒ４（図５（Ａ）、図５（Ｂ）参照）は、光Ｒ６で示すように、指針内部に反射される。したがって、図４で示した光Ｒ４によるハレーションＨ４が抑制される。
【００５０】
また、図６（Ｃ）に示すように、指針２′の指針導光部２１′の先端面に赤色パッド印刷２１ｃを施す。この赤色パッド印刷２１ｃによって、先端面から指針外部に漏れていた光Ｒ５（図５（Ａ）参照）が、弱められる。したがって、図４で示した光Ｒ５によるハレーションＨ５が軽減される。
【００５１】
更に、図６（Ａ）に示すように、赤色ホットスタンプ２１ａ及び銀色系ホットスタンプ２１ｂは、先細り形状になっている指針２′の指針導光部２１′の先端部位を避けるようにして印刷されている。したがって、先細り形状になっている先端部位が光輝しないので、指針２′の太さを均一に視認させることもできる。
【００５２】
なお、指針２′の基本構造は、上記指針２と同等であるが、銀色系ホットスタンプ２１ｂ及び赤色パッド印刷２１ｃの有無が異なる。
【００５３】
このように、他の実施形態によると、ハレーションＨ４、Ｈ５が抑制されたうえ、指針太さも均一に視認されるので、文字板の立体感をより強調することが可能になる。したがって、より立体感が強調された文字板を有するメータ装置も得ることができる。
【００５４】
以上のように、本発明の実施形態によれば、十分に立体感を強調できる文字板及びこれを用いたメータ装置を提供することができる。
【００５５】
なお、表ガラスとして黒色系透明の表ガラスを採用したブラックフェースメータに、本発明を適用することによって、より立体効果が大きくなると共に高級感も与えることができる。また、表示意匠１１及び傾斜部１２にそれぞれ与える光の強弱を適宜調整することにより、これらのコントラストを調整して、更に立体感を強調することもできる。
【図面の簡単な説明】
【００５６】
【図１】本発明の一実施形態に係る文字板及びこれを用いたメータ装置の一部を示す分解斜視図である。
【図２】本発明の一実施形態に係る文字板及びこれを用いたメータ装置の一部を示す正面図である。
【図３】図２のＸＸ線断面図である。
【図４】本発明の他の実施形態を理解するための図である。
【図５】図５（Ａ）及び図５（Ｂ）は本発明の他の実施形態を理解するための図である。
【図６】図６（Ａ）は、図２のＸＸ線断面図に対応する、本発明の他の実施形態に係る断面図であり、図６（Ｂ）は、図６（Ａ）のＹＹ線断面図であり、図６（Ｃ）は、図６（Ａ）のＣ矢示図である。
【図７】この従来の立体文字板及びこれを用いたメータ装置を示す分解斜視図である。
【符号の説明】
【００５７】
１  文字板
２  指針
３  見返し
４  文字板押え
５  拡散板
６  本体ケース
７  ＬＣＤ
８  導光部材
９  基板
１２  傾斜部
１３ｂ  漏光部
９１  光源
【図１】
2006078183.tif 000003
【図２】
2006078183.tif 000004
【図３】
2006078183.tif 000005
【図４】
2006078183.tif 000006
【図５】
2006078183.tif 000007
【図６】
2006078183.tif 000008
【図７】
2006078183.tif 000009